(57)【特許請求の範囲】
【請求項１】
予め設定されたコアネットワークを介して行われる呼の制御を行う呼制御サーバと、前記呼制御サーバに対してアクセス通信網を介して接続し前記呼制御サーバからの呼信号を予め設定された端末機に中継転送するホームゲートウェイと、前記呼制御サーバに接続して設定され前記アクセス通信網の通信品質を監視する通信品質試験装置とを備えた通信品質監視システムであって、
前記ホームゲートウェイは、
前記呼制御サーバから送り込まれた呼信号が試験用呼信号であるか一般呼信号であるかの判別を行う信号解析部と、
前記呼信号が一般呼信号であった場合に当該一般呼信号を前記端末機に転送し、また、前記呼信号が試験呼信号である場合には試験用データ信号を生成しこれを前記呼制御サーバに送信するデータ信号通信部と、
前記通信品質試験装置から前記アクセス通信網を介して送り込まれた試験用データ信号に基づき前記アクセス通信網における前記ホームゲートウェイ側の通信品質を測定する端末側通信品質測定部と有し、
前記通信品質試験装置は、
前記ホームゲートウェイから呼制御サーバに対して試験用データ信号が送り込まれた場合に当該試験用データ信号に基づき前記アクセス通信網における前記呼制御サーバ側の通信品質測定を行うサーバ側通信品質測定部を備えたこと特徴とする通信品質監視システム。
【請求項２】
請求項１に記載の通信品質監視システムにおいて、
前記コアネットワークに接続して設定され前記ホームゲートウェイに対して前記試験用データ信号の送信要求を送信する試験開始要求装置を備え、
前記試験開始要求装置は、前記ホームゲートウェイおよび前記通信品質試験装置から前記アクセス通信網における通信品質の測定結果を取得する測定結果情報取得部を備えたことを特徴とする通信品質監視システム。
【請求項３】
請求項２に記載の通信品質監視システムにおいて、
前記ホームゲートウェイは、
前記試験開始要求装置からの送信要求を取得した場合に前記通信品質試験装置との間で試験呼を確立するセッション確立部を備えたことを特徴とする通信品質監視システム。
【請求項４】
請求項２に記載の通信品質監視システムにおいて、
前記呼制御サーバは、前記送信要求に応じて前記ホームゲートウェイから送信された試験用データ信号を取得した場合に前記通信品質試験装置およびホームゲートウェイ間における試験呼を確立する試験通信呼確立部を備えたことを特徴とする通信品質監視システム。
【請求項５】
請求項１または２に記載の通信品質監視システムにおいて、
前記通信品質試験装置は、前記アクセス網を介して送り込まれた試験用データ信号を解析すると共に当該試験用データ信号の送信元が前記端末機である場合に、当該端末機との試験呼を確立し当該端末機から送り込まれたデータ信号に基づき前記アクセス通信網における通信品質を測定する通信品質測定機能を備えたことを特徴とする通信品質監視システム。
【請求項６】
予め設定されたコアネットワークを介して行われる呼の制御を行う呼制御サーバと、前記呼制御サーバに対してアクセス通信網を介して接続し前記呼制御サーバからの呼信号を予め設定された端末機に中継転送するホームゲートウェイと、前記ホームゲートウェイから前記呼制御サーバに送り込まれたデータ信号を取得し解析する通信品質試験装置とを備えた通信品質監視システムであって、前記アクセス通信網の通信品質を監視する通信品質監視方法であって、
前記ホームゲートウェイが、
前記アクセス通信網を介して送り込まれた呼信号が試験用呼信号であるか一般呼信号であるかの判別を行い、
前記呼信号が一般呼信号であった場合に当該一般呼信号を前記端末機に転送し、また、前記呼信号が試験用呼信号である場合には、
当該試験用呼信号に基づき前記アクセス通信網における前記ホームゲートウェイ側の通信品質を測定すると共に、前記試験用呼信号に基づき試験用データ信号を生成しこれを前記呼制御サーバに送信し、
前記通信品質試験装置は、前記ホームゲートウェイから試験用データ信号が送り込まれた場合に当該試験用データ信号に基づき前記アクセス通信網における通信品質測定を行うことを特徴とする通信品質監視方法。
【請求項７】
請求項６に記載の通信品質監視方法において、
前記ホームゲートウェイは、予め前記コアネットワークに設定された試験開始要求装置からの試験開始要求を受信した場合に前記試験用データ信号を生成しこれを前記呼制御サーバに送信し、
前記通信品質試験装置は、前記ホームゲートウェイからの試験用データ信号に応じて他の試験用データ信号を生成し、前記ホームゲートウェイに送信することを特徴とする通信品質監視方法。
【発明の詳細な説明】
【技術分野】
【０００１】
本発明は、インターネットに接続するアクセスネットワークの通信品質を監視する通信品質監視システムに関する。
【背景技術】
【０００２】
ＶｏＩＰ（Ｖｏｉｃｅ  ｏｖｅｒ  ＩＰ）網では、既設の電話機などを利用してインターネットを介しての音声パケット通信が行われる。このＶｏＩＰ網のうち電話機の加入者宅からコアネットワークまでのネットワークであるアクセスネットワークでは、実用レベルの通信・通話品質を確保するため、その通信回線品質を監視する必要がある。
このため、例えば、アクセスネットワークに対して試験呼の通信を行い、その通信データ品質の測定を行うことにより、アクセスネットワークにおける通信回線品質を監視することができるが、この場合、各加入者宅に試験呼を発信するための専用の装置を設置する必要があった。
また、上記のように、アクセスネットワークの通信回線品質を、試験呼をアクセスネットワークに対して能動的に発信することにより監視を行うためには、専門の作業者などが加入者宅に出向いて作業を行う必要があり、試験作業にかかる手間が膨大に生じ、また、多大なコストがかかってしまうという不都合がある。
【０００３】
更には、ホームゲートウェイがＳＩＰ信号を受信した場合、そのＳＩＰ信号が通常利用により受信する一般呼であるか、試験呼のものであるかを判別することができない。このため、アクセスネットワークの通信回線品質を測定するための試験を行う際には、ホームゲートウェイおよびアクセスネットワークの利用ができないといった不都合が生じる。
【０００４】
これに対する関連情報として、各利用者宅に設置されたホームゲートウェイ装置と、このホームゲートウェイ装置に既設構内電話線を介して接続してホームゲートウェイ装置からからのパケットを収容するゲートウェイ装置とが、それぞれ音声データの伝送を音声パケット以外のデータ伝送に対して優先して行い、音声データ伝送にかかる通話品質を確保するための手法が開示されている（特許文献１）。
【０００５】
また、これに対する関連技術として、基幹ネットワーク（コアネットワークに対応）に接続されたアクセスネットワークに設定されたゲートウェイ装置にネットワーク監視要求信号を送信することにより、ゲートウェイ同士の導通試験を行い、アクセスネットワークそれぞれにおける動作状態を監視する手法が開示されている（特許文献２）。
【先行技術文献】
【特許文献】
【０００６】
【特許文献１】特開２００３−３４８１１５号公報
【特許文献２】特開２００８−００５４８０号公報
【発明の概要】
【発明が解決しようとする課題】
【０００７】
しかしながら、上記特許文献１の関連技術では、音声パケット伝送およびデータ伝送など、アクセスネットワーク（既設構内電話線）で通常伝送される伝送データに基づき通信品質の監視を行う構成であるため、試験用に設定された特定のデータ（例えば、ＲＴＰ（Ｒｅａｌ−ｔｉｍｅ  Ｔｒａｎｓｐｏｒｔ  Ｐｒｏｔｏｃｏｌ）データなど）を能動的に送信することによる、監視対象および内容が特定された通信品質測定を行うことができない。
このため、アクセスネットワーク（既設構内電話線）におけるＳＩＰ（Ｓｅｓｓｉｏｎ  Ｉｎｉｔｉａｔｉｏｎ  Ｐｒｏｔｏｃｏｌ）の接続性やＲＴＰの通信品質内容などについて、詳細な監視を行うことができないという不都合がある。
【０００８】
また、上記特許文献２に開示された関連技術では、基幹ネットワークに設定されたネットワーク監視制御部が導通試験対象となるゲートウェイの組み合わせを決定し、導通試験結果を取得するため、アクセスネットワークの通常利用中に導通試験が行われる場合に、導通試験対象となったゲートウェイでは、通常利用におけるデータ伝送を停止しなければならないといった不都合が生じ得る。
【０００９】
［発明の目的］
本発明は、上記関連技術の有する不都合を改善し、ＶｏＩＰ網におけるアクセスネットワークの通信品質を精細に監視し得る通信品質監視システム、通信品質監視方法を提供することを、その目的とする。
【課題を解決するための手段】
【００１０】
上記目的を達成するために、本発明に係る通信品質監視システムは、予め設定されたコアネットワークを介して行われる呼の制御を行う呼制御サーバと、前記呼制御サーバに対してアクセス通信網を介して接続し前記呼制御サーバからの呼信号を予め設定された端末機に中継転送するホームゲートウェイと、前記呼制御サーバに接続して設定され前記アクセス通信網の通信品質を監視する通信品質試験装置とを備えた通信品質監視システムであって、前記ホームゲートウェイは、前記呼制御サーバから送り込まれた呼信号が試験用呼信号であるか一般呼信号であるかの判別を行う信号解析部と、前記呼信号が一般呼信号であった場合に当該一般呼信号を前記端末機に転送し、また、前記呼信号が試験呼信号である場合には試験用データ信号を生成しこれを前記呼制御サーバに送信するデータ信号通信部と、前記通信品質試験装置から前記アクセス通信網を介して送り込まれた試験用データ信号に基づき前記アクセス通信網における前記ホームゲートウェイ側の通信品質を測定する端末側通信品質測定部と有し、前記通信品質試験装置は、前記ホームゲートウェイから呼制御サーバに対して試験用データ信号が送り込まれた場合に当該試験用データ信号に基づき前記アクセス通信網における前記呼制御サーバ側の通信品質測定を行うサーバ側通信品質測定部を備えた構成をとっている。
【００１１】
また、本発明にかかる通信品質監視方法は、予め設定されたコアネットワークを介して行われる呼の制御を行う呼制御サーバと、前記呼制御サーバに対してアクセス通信網を介して接続し前記呼制御サーバからの呼信号を予め設定された端末機に中継転送するホームゲートウェイと、前記ホームゲートウェイから前記呼制御サーバに送り込まれたデータ信号を取得し解析する通信品質試験装置とを備えた通信品質監視システムであって、前記アクセス通信網の通信品質を監視する通信品質監視方法であって、前記ホームゲートウェイが、前記アクセス通信網を介して送り込まれた呼信号が試験用呼信号であるか一般呼信号であるかの判別を行い、前記呼信号が一般呼信号であった場合に当該一般呼信号を前記端末機に転送し、また、前記呼信号が試験用呼信号である場合には、当該試験用呼信号に基づき前記アクセス通信網における前記ホームゲートウェイ側の通信品質を測定すると共に、前記試験用呼信号に基づき試験用データ信号を生成しこれを前記呼制御サーバに送信し、前記通信品質試験装置は、前記ホームゲートウェイから試験用データ信号が送り込まれた場合に当該試験用データ信号に基づき前記アクセス通信網における通信品質測定を行うことを特徴としている。
【発明の効果】
【００１２】
本発明は、以上のように構成され機能するので、これによると、送り込まれた呼信号の判別を行いこの呼信号が試験呼信号である場合に試験用データ信号を生成し呼制御サーバに送信すると共に、通信品質試験装置からアクセス通信網を介して送り込まれた試験用データ信号に基づき前記アクセス通信網の通信品質を測定するホームゲートウェイと、呼制御サーバに併設され、ホームゲートウェイからの試験用データ信号に基づきアクセス通信網の通信品質測定を行う通信品質試験装置とを備えたことにより、ＶｏＩＰ網におけるアクセスネットワークの通信品質を正確に監視することが可能な通信品質監視システム、通信品質監視方法を提供することができる。
【図面の簡単な説明】
【００１３】
【図１】本発明による通信品質監視システムにおける一実施形態を示す概略ブロック図である。
【図２】図１に開示した通信品質監視システムにおけるホームゲートウェイの内部構成の一例を示す概略ブロック図である。
【図３】図１に開示した通信品質監視システムにおける自動応答試験装置の内部構成の一例を示す概略ブロック図である。
【図４】図１に開示した通信品質監視システムにおける試験管理サーバの内部構成の一例を示す概略ブロック図である。
【図５】図１に開示した通信品質監視システムにおけるホームゲートウェイ内の試験機能部の一構成例を示す概略ブロック図である。
【図６】図１に開示した通信品質監視システムにおける自動応答試験装置内の試験機能部の一構成例を示す概略ブロック図である。
【図７】図１に開示した通信品質監視システムにおけるＳＩＰ信号解析部の動作処理ステップを示すフローチャートである。
【図８】図１に開示した通信品質監視システムにおける自動応答試験装置の内部構成の一例を示す概略ブロック図である。
【図９】図１に開示した通信品質監視システムにおける自動応答試験装置内の試験機能部の一構成例を示す概略ブロック図である。
【図１０】図１に開示した通信品質監視システムにおける自動応答試験装置の動作処理ステップを示すフローチャートである。
【発明を実施するための形態】
【００１４】
［実施形態１］
次に、本発明を実施するための実施形態について図面を参照して説明する。
【００１５】
本発明の実施形態１としての通信品質監視システムは、図１に示すように、ＶｏＩＰネットワークにおけるコアネットワークに接続され、このコアネットワークを介して設定される呼の制御を行うＳＩＰサーバ（呼制御サーバ）４と、予め設定されたアクセスネットワークを介してＳＩＰサーバ４に接続しＳＩＰサーバ４からの呼信号を予め設定された電話端末（端末機）５に中継転送する処理を行うホームゲートウェイ１と、ＳＩＰサーバ４に接続して設定され、アクセスネットワークを介してＳＩＰサーバ４およびホームゲートウェイ１相互間で行われる通信内容に基づいてアクセスネットワークにおける通信品質を監視する自動応答試験装置（通信品質試験装置）２と、コアネットワークに接続して設けられ、ホームゲートウェイ１に対して通信試験の開始を命令するコマンドを送信する試験管理サーバ３を備えた構成となっている。
【００１６】
ホームゲートウェイ１は、図２に示すように、アクセスネットワークを介してＳＩＰ信号の送受信を行うＳＩＰ信号送受信部１４と、このＳＩＰ信号送受信部１４により受信されたＳＩＰ信号（呼信号）が試験用ＳＩＰ信号であるか、または一般のＳＩＰ信号（「一般ＳＩＰ信号」という）であるかを判別するＳＩＰ信号解析部（信号解析部）１３と、受信した試験用ＳＩＰ信号に基づきアクセスネットワークの通信品質を示す通信品質情報を生成する試験機能部（試験結果情報生成部）１１を備えている。
また、ＳＩＰ信号解析部１３は、ＳＩＰ信号の判別結果が一般ＳＩＰ信号を示す場合に、この一般ＳＩＰ信号を電話端末（端末機）５に転送し、また、ＳＩＰ信号の判別結果が一般ＳＩＰ信号を示す場合に、この試験用ＳＩＰ信号を試験機能部１１に渡す処理を行う信号振り分け部（データ信号通信部）１３１を有する。
【００１７】
ここで、ホームゲートウェイ１の試験機能部１１について、詳説する。
試験機能部１１は、図５に示すように、アクセスネットワークを介して送り込まれた試験実施コマンドを受信すると共に、試験実施コマンドの内容に基づき通信回線試験を開始する試験制御部１１８と、試験制御部１１８からの試験開始要求に応じて試験用ＳＩＰ信号の生成動作にかかる制御を行うシナリオ制御部１１６と、試験用ＳＩＰ信号の送受信動作シーケンスを示す予め設定されたシナリオを保持すると共にこのシナリオをシナリオ制御部１１６に提供するシナリオ解析部１１７と、シナリオ制御部１１６による制御動作に基づきＳＩＰ信号の生成を行うＳＩＰ信号生成部１１２と、生成されたＳＩＰ信号の送受信を行うＳＩＰ信号送受信部１１１と、信号振り分け部１３１からＳＩＰ信号送受信部１１１を介して渡されたＳＩＰ信号のデータ解析を行うＳＩＰ信号解析部１１３を備えた構成を有する。
【００１８】
ここで、上記シナリオとは、送受信するＳＩＰ信号の種別や順番等を記述したファイルデータであり、シナリオ解析部１１７に予め設定されたシナリオ記憶手段に格納されているものとする。また、シナリオ解析部１１７は、ホームゲートウェイ１の外部から利用者により入力されたシナリオをシナリオ記憶手段に格納する設定であってもよい。
【００１９】
また、本実施形態では、ホームゲートウェイ１による上記ＳＩＰ信号の生成、送信および受信、解析動作が実行された場合に、ＳＩＰサーバ４の制御により、アクセスネットワークを介して自動応答試験装置２およびホームゲートウェイ１間における試験用通信セッションが確立されるものとする。
【００２０】
更に、試験機能部１１は、ホームゲートウェイ１および自動応答試験装置２間の試験用通信セッションが確立されている場合に、アクセスネットワークを介して自動応答試験装置２との間で音声データや映像データの送受信を行うＲＴＰ信号送受信部１１４と、ＲＴＰ信号送受信部１１４が受信した音声データや映像データなどのＲＴＰ信号のデータ品質を測定するＲＴＰ品質測定部１１５を有した構成となっている。
【００２１】
尚、ＲＴＰ品質測定部１１５は、測定結果である品質ログを予め設定された出力手段に出力表示する設定であってもよい。
また、ＲＴＰ品質測定部１１５は、品質ログをコアネットワークに接続された試験管理サーバ３に対して送信する設定であってもよい。
【００２２】
ＳＩＰ信号送受信部１１１は、ＳＩＰ信号生成部１１２により生成されたＳＩＰ信号を、アクセスネットワークを介して自動応答試験装置２に送信する処理を行う。
また、ＳＩＰ信号送受信部１１１は、信号振分部１３１から渡された試験用ＳＩＰ信号をＳＩＰ信号解析部１１３に渡す処理を行う。
ここで、試験用ＳＩＰ信号の送受信動作のシーケンスは、予めシナリオで規定されるものとする。
【００２３】
シナリオ制御部１１６は、シナリオに基づく制御を行うことによりＳＩＰ信号生成部１１２がＳＩＰ信号を生成するＳＩＰ信号生成制御機能と、ＲＴＰ信号送受信部１１４における音声データや映像データのＲＴＰ信号の送受信動作を制御するＲＴＰ信号送受信制御機能を有する。
【００２４】
シナリオ解析部１１７は、保存したシナリオを解析すると共に、利用可能なデータ形式に設定してシナリオ制御部１１６に提供する。尚、このシナリオ解析部１１７に格納されるシナリオは、例えば、ホームゲートウェイ１の外部から利用者により入力されることにより設定されるものとする。
【００２５】
試験制御部１１８は、試験実施コマンドを受信すると、シナリオ制御部１１６を制御する機能を起動する。これにより、通信品質試験が開始される。
【００２６】
自動応答試験装置２は、図３に示すように、アクセスネットワークを介してＳＩＰサーバ４に送り込まれた試験用ＳＩＰ信号を取得すると共に、ホームゲートウェイ１との間で試験呼セッションを確立する試験機能部２１と、確立された試験呼セッションにおける相互通信の通信内容に基づいてアクセスネットワークにおける通信品質の測定を行う試験自動再実行部（通信品質測定部）２２を備えた構成となっている。
尚、自動応答試験装置２は、ＳＩＰサーバ４の内部に設定された構成であってもよい。
【００２７】
試験機能部２１は、図６に示すように、試験機能部１１（図５）の内部構成それぞれに対応した機能部を有し、試験自動再実行部２２からの実行指示により通信品質試験の動作を起動する試験制御部２１８と、試験用ＳＩＰ信号の生成動作にかかる制御を行うシナリオ制御部２１６と、試験用ＳＩＰ信号の送受信動作シーケンスを示す予め設定されたシナリオを保持すると共にこのシナリオをシナリオ制御部２１６に提供するシナリオ解析部２１７と、シナリオ制御部２１６による制御動作に基づきＳＩＰ信号の生成を行うＳＩＰ信号生成部２１２と、生成されたＳＩＰ信号の送信を行うと共に、ホームゲートウェイ１からＳＩＰサーバ４に送り込まれたＳＩＰ信号を取得するＳＩＰ信号送受信部２１１を有する。
【００２８】
ここで、上記シナリオとは、送受信するＳＩＰ信号の種別や順番等を記述したファイルデータであり、シナリオ解析部２１７に予め設定されたシナリオ記憶手段に格納されているものとする。また、シナリオ解析部２１７は、自動応答装置２の外部から利用者により入力されたシナリオをシナリオ記憶手段に格納する設定であってもよい。
【００２９】
また、試験機能部２１は、ＳＩＰ信号送受信部２１１により取得されたＳＩＰ信号を解析し、ＳＩＰ信号のデータ内容をシナリオ制御部２１６に通知するＳＩＰ信号解析部２１３と、ホームゲートウェイ１との試験用通信セッションが確立されている間に、アクセスネットワークを介して音声データや映像データなどのＲＴＰ信号の送受信を行うＲＴＰ信号送受信部２１４と、ＲＴＰ信号送受信部２１４が受信した音声データや映像データなどのＲＴＰ信号のデータ品質を測定し、その測定結果を品質ログとして出力するＲＴＰ品質測定部２１５を有した構成となっている。
【００３０】
尚、ＲＴＰ品質測定部２１５は、品質ログをコアネットワークに接続された試験管理サーバ３に対して送信する設定であってもよい。
【００３１】
試験自動再実行部２２は、試験機能部２１が予め設定されたシナリオに基づき通信品質試験を実施しこの試験が終了した後、試験機能部２１を制御することにより、同じシナリオで再度、通信品質試験を起動し実行するものとする。
【００３２】
これにより、試験自動再実行部２２は、試験機能部２１における通信品質試験が終了するたびに再度試験を実施するよう試験機能部２１を制御するため、アクセスネットワークにおける通信品質試験を再帰的に実行することができる。
【００３３】
尚、自動応答試験装置２では、予め設定されたＳＩＰ信号受信用のシナリオに基づき通信品質試験が実行されるものとする。これにより、自動応答試験装置２は、ホームゲートウェイ１から送り込まれた試験用ＳＩＰ信号に対して、自動的に応答することができ、更には、自動応答試験装置２は、試験自動再実行部２１の制御により通信品質試験を再帰的に実行することができるので、ＳＩＰサーバ４にホームゲートウェイ１からのＳＩＰ信号が送り込まれた任意のタイミングで応答することができる。
【００３４】
試験管理サーバ３は、図４に示すように、アクセスネットワークにおける通信品質試験の開始をホームゲートウェイ１に対して指示する試験実施コマンドを送信する試験指示部３１と、アクセスネットワークにおける通信品質の試験結果ログをコアネットワークを介して取得し表示する試験結果表示部３２を有する。
【００３５】
試験管理サーバ３は、図４に示すように、コアネットワークに接続して設定され試験実施コマンドをホームゲートウェイ１に対して送信する試験指示部３１と、コアネットワークを介して送り込まれた試験結果ログおよび品質ログを出力表示する試験結果表示部３２を備えている。
【００３６】
試験指示部３１は、図４に示すように、試験実施コマンドを生成すると共にホームゲートウェイ１に試験実施コマンドを送信する試験指示部３１と、ホームゲートウェイ１および自動応答試験装置２から受信した試験結果ログ及び品質ログを予め設定された画面に表示する試験結果表示部３２とを含み構成される。
【００３７】
ＳＩＰサーバ４は、アクセスネットワークおよびコアネットワークに接続され、電話端末の発・着呼（セッション）を管理するサーバ装置である。
また、ＳＩＰサーバ４は、ホームゲートウェイ１および自動応答試験装置２における通信品質試験にかかる動作を検知してホームゲートウェイ１および自動応答試験装置２間の試験通信セッションの確立（および切断）を制御する設定であってもよい。
これにより、試験通信セッションが確立されている間、ホームゲートウェイ１および自動応答試験装置２では相互に通信用の音声データまたは映像データであるＲＴＰ信号の通信を行うことができる。
【００３８】
電話端末５は、ホームゲートウェイを介して音声パケットの送受信を行う一般的な電話機である。また、電話端末５は、映像データなどのＲＴＰ信号やデータ通信を行う情報端末であってもよい。
［実施形態１の動作説明］
次に、本実施形態１の全体的な動作について、その概略を説明する。
まず、ホームゲートウェイ１は、試験開始要求装置からの試験開始要求を受信した場合に試験用データ信号を生成しこれをＳＩＰサーバ４に送信する。
自動応答試験装置（通信品質試験装置）２は、ホームゲートウェイ１からＳＩＰサーバ４に試験用データ信号が送り込まれた場合に、この試験用データ信号に基づきアクセスネットワークにおける通信品質測定を行うと共に、ホームゲートウェイ１に対してＳＩＰ信号（試験用データ信号）を送信する。
次いで、ホームゲートウェイ１は、アクセス通信網を介して送り込まれたＳＩＰ信号（呼信号）が試験用呼信号であるか一般呼信号であるかの判別を行い、ＳＩＰ信号が一般呼信号であった場合にＳＩＰ信号を電話端末５に転送し、また、ＳＩＰ信号が試験用呼信号である場合には、試験用呼信号に基づきアクセスネットワークにおける通信品質を測定すると共に、試験用呼信号に基づき試験用データ信号を生成しこれをＳＩＰサーバ４に送信する。
次に、自動応答試験装置（通信品質試験装置）２は、ホームゲートウェイ１からＳＩＰサーバ４に試験用データ信号が送り込まれた場合に、この試験用データ信号に基づきアクセスネットワークにおける通信品質測定を行う。
また、ホームゲートウェイ１および自動応答試験装置２は、アクセスネットワークの通信品質測定結果を、試験管理サーバ（試験開始要求装置）に対して送信し、試験管理サーバはこれを出力表示する。
【００３９】
次に、本実施形態にかかる上記通信品質監視システムの動作について、図１に基づき詳説する。
【００４０】
まず、試験管理サーバ３が、試験実施コマンド（試験開始要求）を生成すると共に、この試験実施コマンドをホームゲートウェイ１に対して送信する。ここで、試験実施コマンドは、試験管理サーバ３から送出され、コアネットワーク、ＳＩＰサーバ４、アクセスネットワークを介してホームゲートウェイ１に送られる。
【００４１】
次いで、ホームゲートウェイ１が、受信した試験実施コマンドに応じて通信回線試験を開始する。ここで、ホームゲートウェイ１は、ＳＩＰ信号（試験用）を生成し、このＳＩＰ信号を自動応答試験装置２に対して送信する。
【００４２】
自動応答試験装置２は、ホームゲートウェイ１からのＳＩＰ信号（試験用）を受信すると、このＳＩＰ信号（試験用）に対応した試験呼のＳＩＰ信号である応答ＳＩＰ信号を生成し、これをホームゲートウェイ１に返信する。
【００４３】
次いで、ホームゲートウェイ１は、受信したＳＩＰ信号（応答ＳＩＰ信号）が試験呼であるか、一般呼であるかの判別を行う。
ここで、受信したＳＩＰ信号が一般呼であった場合、ホームゲートウェイ１は、このＳＩＰ信号（一般呼）を電話端末５に転送する。
【００４４】
一方、受信したＳＩＰ信号（応答ＳＩＰ信号）が試験呼であった場合、ホームゲートウェイ１および自動応答試験装置２間における試験呼のセッション（以下「試験呼セッション」という）が確立され、ホームゲートウェイ１は通信回線試験を続行する。
ここで、ＳＩＰ信号の送受信により試験呼セッションが確立された場合、ホームゲートウェイ１および自動応答試験装置２は相互に音声や映像データをＲＴＰで送受信することが可能となる。また、ホームゲートウェイ１および自動応答試験装置２は、それぞれ受信したＲＴＰに基づき通信品質の測定を行うものとする。
【００４５】
次いで、ホームゲートウェイ１は、試験呼セッション確立からの一定時間経過後に、再びＳＩＰ信号（試験用）を生成し自動応答試験装置２に対して送信する。
自動応答試験装置２は、ホームゲートウェイ１からのＳＩＰ信号（試験用）を受信すると、このＳＩＰ信号（試験用）に対応した試験呼ＳＩＰ信号を生成し、これをホームゲートウェイ１に返信する。
ホームゲートウェイ１は、受信したＳＩＰ信号の判別を行い、一般呼のＳＩＰ信号であった場合には、ＳＩＰ信号（一般呼ＳＩＰ信号）を電話端末５に転送し、試験呼であった場合に試験呼セッションが切断し、通信回線試験を終了する。
【００４６】
これにより、アクセスネットワークのＳＩＰの接続性およびＲＴＰの通信品質を監視するための通信回線試験が完了する。
ここで、試験完了後、ホームゲートウェイ１及び自動応答試験装置２は、それぞれＳＩＰの接続性を示す試験結果ログ、およびＲＴＰの通信品質を示す通信品質ログを、試験管理サーバに送信する。
【００４７】
試験を完了すると、ホームゲートウェイ１は、試験完了を示す試験完了応答信号と、上記試験結果ログおよび品質ログを試験管理サーバ３に対して送信する。
次いで、試験管理サーバは、ホームゲートウェイ１および自動応答試験装置２それぞれから送り込まれた試験結果ログ、品質ログを、予め設定された出力画面に表示する。
【００４８】
次に、ホームゲートウェイ１のＳＩＰ信号解析部１３（信号振り分け部１３１）における振り分け動作（信号振り分け機能）について、図７のフローチャートに基づき説明する。
【００４９】
まず、アクセスネットワークを介して送り込まれたＳＩＰ信号を送受信部１４が受信し、ＳＩＰ信号解析部１３がこれを解析する（ステップＳ１）。
ここで、ＳＩＰ信号解析部１３の信号振り分け部１３１は、ＳＩＰ信号データ中のヘッダ部に含まれる特定のパラメータの一部として特定の文字列が含まれるか否かを調べる（ステップＳ２）。
ここでは、例えば、Ｆｒｏｍヘッダにおけるｔａｇパラメータの先頭が「Ｔｅｓｔ１２３」の文字列であれば、このＳＩＰ信号は試験呼であることが予め規定されているものとする。
【００５０】
ここで、信号振り分け部１３１は、Ｆｒｏｍヘッダのｔａｇパラメータが「Ｔｅｓｔ１２３ｘｘｘｘｘ」である場合に、そのＳＩＰ信号が試験呼のものであると判定し、ＳＩＰ信号（試験用）をホームゲートウェイ１の試験機能部１１に渡す（ステップＳ３）。
【００５１】
一方、Ｆｒｏｍヘッダのｔａｇパラメータが、例えば「Ｒｅｓｔ１２３ｘｘｘｘｘ」など、「Ｔｅｓｔ１２３」を含まない文字列である場合、信号振り分け部１３１は、このＳＩＰ信号を一般呼のものであると判定する。
このとき、信号振り分け部１３１は、ホームゲートウェイ１に接続された電話端末５にＳＩＰ信号を転送する（ステップＳ４）。ここで、パラメータ中の「ｘｘｘｘｘ」は予め設定された任意の長さのランダムな文字列を表すものとする。
【００５２】
尚、一般呼のパラメータが、予め設定された「特定の文字列」に偶然一致してしまうことにより、信号振分けにエラーが生じるのを軽減するため、「特定の文字列」としてさらに長い文字列を設定してもよい。
また、信号振分部１３１がＳＩＰ信号の種別を試験呼であるか、一般呼であるかを判定するための基準である、パラメータは、例えば、Ｔｏヘッダ、Ｆｒｏｍヘッダのｔａｇ、Ｃａｌｌ−ＩＤヘッダ、Ｖｉａヘッダのｂｒａｎｃｈなどのように、一般に全てのＳＩＰ信号に含まれ、かつＶｏＩＰネットワークにおけるユーザエージェントにより記述される文字列を利用するものとする。
【００５３】
以上のように、本実施形態では、ホームゲートウェイ１に試験機能部１１を内蔵した構成としたことにより、自動応答試験装置２との通信により行う通信品質試験を、ホームゲートウェイ１から実行することができ、このため、アクセスネットワーク（図１）のＳＩＰ接続性およびＲＴＰの品質を有効に監視することができる。
また、試験管理サーバ３からホームゲートウェイ１に対して試験実施の指示を送り込むことにより通信品質試験を開始することができ、これにより、ホームゲートウェイの設置場所によらず、任意のタイミングで実施することができる。
【００５４】
また、ホームゲートウェイ１は、ＳＩＰ信号振り分け部１３１を備えた構成としたことにより、ホームゲートウェイ１に併設された電話端末５を利用したネットワーク利用を阻害することなく通信品質試験を行うことができるため、任意のタイミングで実施することができる。
【００５５】
［実施形態２］
次に、本発明に係る実施形態２の通信品質監視システムについて説明する。ここで、前述した実施形態１と同一の部分については、同一の符号を付するものとする。
この実施形態２では、システムの機器構成部分は前述した実施形態１とほぼ同一の構成を備えており、実施形態１における自動応答試験装置６（実施形態１の自動応答試験装置２に対応）にユーザエージェントクライアント判別部６３を組み込んだ点が、実施形態１の場合と相違する。
【００５６】
以下、これを詳説する。
本実施形態２の自動応答試験装置６は、図８に示すように、上記実施形態１における自動応答試験装置２と同様に試験機能部６１（図３：２１に対応）および試験自動再実行部６２（図３：２２に対応）を備えると共に、試験機能部６１（試験機能部２１に対応）が取得したホームゲートウェイ１からのＳＩＰ信号の送信元を特定するユーザエージェントクライアント（ＵＡＣ）判別部６３を試験機能部６１に併設した構成となっている。
【００５７】
ＵＡＣ判別部６３は、試験機能部６１が取得したＳＩＰ信号に含まれた特定のパラメータを参照し、受信したＳＩＰ信号の送信元であるユーザエージェントクライアント（ＵＡＣ）を特定する処理を行う（送信元特定機能）。
【００５８】
また、本実施形態２の試験機能部６１は、図９に示すように、上記実施形態１の試験機能部２１と同様の機能部である、ＳＩＰ信号送受信部６１１（図５：２１１に対応）、ＳＩＰ信号生成部６１２（図５：２１２に対応）、ＳＩＰ信号解析部６１３（図５：２１３に対応）、ＲＴＰ信号送受信部６１４（図５：２１４に対応）、ＲＴＰ品質側手部６１５（図５：２１５に対応）、シナリオ制御部６１６（図５：２１６に対応）、シナリオ解析部６１７（図５：２１７に対応）、および試験制御部６１８（図５：２１８に対応）を有した構成である。
【００５９】
ここで、ＵＡＣ判別部６３は、ＳＩＰ信号の一部に特定の文字列が含まれるか否かに基づき、このＳＩＰ信号の送信元が、ホームゲートウェイ１の試験機能部１１であるか、または、ホームゲートウェイ１に接続された電話端末５であるかを判別する。
また、自動応答試験装置６の試験機能部６１（試験機能部２１に対応）は、特定された送信元（ＵＡＣ）をシナリオ制御部６１６に通知する（図９）。
【００６０】
これにより、シナリオ制御部６１６は、通知されたＵＡＣを送信先とする応答のＳＩＰ信号（応答ＳＩＰ信号）を生成する。
尚、この応答ＳＩＰ信号を受信したホームゲートウェイ１の信号振り分け部１３１は、応答ＳＩＰ信号に含まれる送信先であるＵＡＣに対して、アクセスネットワークを介して受信した応答ＳＩＰ信号を転送する。
【００６１】
また、本実施形態２の電話端末５は、自動応答試験装置２との試験用通信セッションが確立されているときに、アクセスネットワークを介して自動応答試験装置２との間で音声データや映像データの送受信を行う手段（ＲＴＰ信号送受信部１１４に相当）と、受信した音声データや映像データなどのＲＴＰ信号のデータ品質を測定する手段（ＲＴＰ品質測定部１１５に相当）を備えた構成であってもよい。
これにより、本実施形態２では、自動応答試験装置６が、例えば、応答ＳＩＰ信号をホームゲートウェイ１に内蔵された試験機能部１１だけでなく、ホームゲートウェイ１に接続して設定された電話端末５からもホームゲートウェイ１およびＳＩＰサーバ４間における通信回線試験を実行することができる。
【００６２】
次に、本実施形態２における自動応答試験装置６の動作について、図１０のフローチャートに基づき説明する。
【００６３】
まず、自動応答試験装置６のＳＩＰ信号解析部６１３は、アクセスネットワークを介して送り込まれたＳＩＰ信号の解析を行うと共に、この解析結果をＵＡＣ判別部６３に通知する。
次いで、ＵＡＣ判別部６３は、ＳＩＰ信号のＦｒｏｍヘッダに含まれるｔａｇパラメータの一部に予め設定された特定の文字列を検出された場合、ＳＩＰ信号の送信元をホームゲートウェイ１の試験機能部１１と判定する（Ｙｅｓ：Ｓ１２）。
【００６４】
試験機能部６１（シナリオ制御部６１６）は、ＵＡＣ判別部による判定結果に基き、ホームゲートウェイ１の試験機能部１１に対応して設定されたシナリオをシナリオ解析部２１７から取得し、当該シナリオに基づきＴｏヘッダのｔａｇパラメータの先頭（一部）に特定の文字列（例えば「Ｔｅｓｔ１２３」）を挿入した応答ＳＩＰ信号を生成し、これをホームゲートウェイ１の試験機能部１１に向けて送信する（ステップＳ１３）。
【００６５】
一方、アクセスネットワークを介して送り込まれたＳＩＰ信号を解析し、その結果、ＳＩＰ信号のＦｒｏｍヘッダに含まれるｔａｇパラメータに予め設定された特定の文字列が検出されなかった場合、ＵＡＣ判別部６３は、このＳＩＰ信号の送信元をホームゲートウェイ１に接続して設定された電話端末５であると判定する（Ｎｏ：Ｓ１２）。
【００６６】
試験機能部６１（シナリオ制御部６１６）は、ＵＡＣ判別部６３による判定結果に基き、電話端末５に対応して設定されたシナリオをシナリオ解析部２１７から取得し、当該シナリオに基づきＴｏヘッダのｔａｇパラメータの一部に特定の文字列を挿入した応答ＳＩＰ信号を生成すると共に、これを電話端末５に送信する（ステップＳ１４）。
【００６７】
以上のように、本実施形態２では、自動応答試験装置６にホームゲートウェイ１から送られたＳＩＰ信号の送信元であるユーザエージェントクライアントを判別するＵＡＣ判別部６３を備えた構成としたことにより、この判別結果に基き応答ＳＩＰ信号を生成することができるので、ホームゲートウェイ１に設定された電話端末５から送られたＳＩＰ信号に対する応答ＳＩＰ信号を生成し、電話端末５に返信することができ、このため、アクセスネットワークにおけるＳＩＰ接続性やＲＴＰなどの品質を測定する通信品質測定試験を電話端末５からも実行することができる。
【産業上の利用可能性】
【００６８】
本発明は、ホームゲートウェイが設置された特定のアクセス通信回線における通信品質を監視するネットワーク回線監視システムに対して有用に適用することができる。
【符号の説明】
【００６９】
１  ホームゲートウェイ
２  自動応答試験装置
３  試験管理サーバ
４  ＳＩＰサーバ
５  電話端末
１１  試験機能部
１３  ＳＩＰ信号解析部
１４  ＳＩＰ信号送受信部
２１  試験機能部
２２  試験自動再実行部
３１  試験指示部
３２  試験結果表示部
１１１，２１１  ＳＩＰ信号送受信手段
１１２，２１２  ＳＩＰ信号生成手段
１１３，２１３  ＳＩＰ信号解析手段
１１４，２１４  ＲＴＰ信号送受信手段
１１５，２１５  ＲＴＰ品質測定手段
１１６，２１６  シナリオ制御手段
１１７，２１７  シナリオ解析手段
１１８，２１８  試験制御手段
【図１】
0005573100.tif 000002
【図２】
0005573100.tif 000003
【図３】
0005573100.tif 000004
【図４】
0005573100.tif 000005
【図５】
0005573100.tif 000006
【図６】
0005573100.tif 000007
【図７】
0005573100.tif 000008
【図８】
0005573100.tif 000009
【図９】
0005573100.tif 000010
【図１０】
0005573100.tif 000011